(57)【特許請求の範囲】
【請求項１】
刈取り部における横一側の外側に装備した分草杆を、横外方に張り出した分草作用姿勢と刈取り部側に退避した格納姿勢とに切換え揺動可能に構成するとともに、前記刈取り部の横他側に配備された運転部からのレバー操作によって前記分草杆の姿勢切換えを行うように構成したコンバインの分草装置において、
前記運転部に配備した運転座席の後方で刈取り部側の箇所に操作レバーを前後揺動可能に配備し、この操作レバーと前記分草杆とを操作ワイヤで連係し、
前記運転座席の刈取り部側の横側に配備したサイドパネルの後端部に操作ボックスを立設し、この操作ボックスの内部で前記操作レバーを前記サイドパネルの上面よりも高い配置高さに位置する横向き支点周りで前後揺動可能に枢支し、
前記操作ボックスの内部で前記操作レバーに前記操作ワイヤを連係してあることを特徴とするコンバインの分草装置。
【請求項２】
前記操作レバーを後方に起立揺動させて前記操作レバーの先端側が前記操作ボックスの上面から上方に突出する起立姿勢に切換えることで前記分草杆が分草作用姿勢となり、前記操作レバーを前方に倒伏揺動させて前記操作レバーの先端側が前記操作ボックスの前面から前方に突出する倒伏姿勢に切換えることで前記分草杆が格納姿勢となるよう構成してある請求項１記載のコンバインの分草装置。
【請求項３】
前記操作ボックスにおける前記操作レバーの前記運転座席側の横側に、穀粒回収タンクに装備したアンローダの駆動を司る排出クラッチレバーを前後揺動操作可能に並設し、前記排出クラッチレバーを後方に起立揺動させて前記排出クラッチレバーの先端側が前記操作ボックスの上面から上方に突出する起立姿勢に切換えることで前記アンローダの駆動が停止され、前記排出クラッチレバーを前方に倒伏揺動させて前記排出クラッチレバーの先端側が前記操作ボックスの前面から前方に突出する倒伏姿勢に切換えることで前記アンローダが駆動されるよう構成してある請求項２記載のコンバインの分草装置。
【請求項４】
起立姿勢の前記操作レバーが起立姿勢の前記排出クラッチレバーよりも前方に位置し、倒伏姿勢の前記操作レバーが倒伏姿勢の前記排出クラッチレバーよりも下方に位置するように、前記操作レバーおよび前記排出クラッチレバーを配備してある請求項３記載のコンバインの分草装置。
【請求項５】
前記操作レバーを伸縮可能に構成してある請求項１〜４のいずれか一項に記載のコンバインの分草装置。
【請求項６】
前記操作レバーを、前記操作ボックスの内部で前記横向き支点周りに枢支されるとともに前記操作ワイヤが連結される基端部材と、この基端部材に取り付けられて前記操作ボックスの外部に延出されるレバー本体とで構成し、前記操作レバーの起立姿勢では前記レバー本体が前記横向き支点よりも後方に位置し、かつ、前記操作レバーの倒伏姿勢では前記レバー本体が前記横向き支点よりも上方に位置するように、前記基端部材に前記レバー本体を取り付けてある請求項１〜５のいずれか一項に記載のコンバインの分草装置。
【発明の詳細な説明】
【技術分野】
【０００１】
本発明は、コンバインの分草装置に係り、特には、刈取り部における横一側の外側に装備した分草杆を、横外方に張り出した分草作用姿勢と刈取り部側に退避した格納姿勢とに切換え揺動可能に構成するとともに、刈取り部の横他側に配備された運転部からのレバー操作によって分草杆の姿勢切換えを行うように構成したコンバインの分草装置に関する。
【背景技術】
【０００２】
上記分草装置としては、分草杆を出退操作する操作レバーを刈取り部に装備して、運転座席に着座した運転作業者が左手を伸ばして前後に揺動操作するよう構成したものが知られている（例えば、特許文献１参照）。
【特許文献１】特開２００３−１５３６２９号公報
【発明の開示】
【発明が解決しようとする課題】
【０００３】
コンバインにおいては、運転座席の刈取り部側（左側）に変速レバーなどの各種レバーを備えたサイドパネルが配備されており、上記のように分草杆出退用の操作レバーを刈取り部に備えた構造では、運転作業者はサイドパネルを越えて手を伸ばすことになり、分草杆出退を出退操作する際に誤って変速レバーなどに触れるおそれがあった。特に、分草杆は機体横外方に張出し倒伏させた分草作用姿勢において、分草反力によって格納側に戻されないようにするために、摩擦抵抗をかけて分草作用姿勢に保持するよう構成されており、分草作用姿勢の分草杆を摩擦抵抗および分草杆自体の自重に抗して格納姿勢にまで起立揺動させるのにかなり大きい操作力を必要とするものであり、操作レバーを強く操作するのに気をとられて他のレバーに触れてしまいやすいものであった。
【０００４】
また、刈取り部が昇降されることで分草杆出退用の操作レバーの高さが変化することになり、特に、刈取り部を十分下げての低刈り作業時には、操作レバーも低くなって、上記した不具合が一層発生しやすくなる。
【０００５】
本発明は、このような点に着目してなされたものであって、分草杆を運転部からのレバー操作によって軽快に出退できるようにすることを目的としている。
【課題を解決するための手段】
【０００６】
第１の発明は、刈取り部における横一側の外側に装備した分草杆を、横外方に張り出した分草作用姿勢と刈取り部側に退避した格納姿勢とに切換え揺動可能に構成するとともに、前記刈取り部の横他側に配備された運転部からのレバー操作によって前記分草杆の姿勢切換えを行うように構成したコンバインの分草装置において、
前記運転部に配備した運転座席の後方で刈取り部側の箇所に操作レバーを前後揺動可能に配備し、この操作レバーと前記分草杆とを操作ワイヤで連係し、
前記運転座席の刈取り部側の横側に配備したサイドパネルの後端部に操作ボックスを立設し、この操作ボックスの内部で前記操作レバーを前記サイドパネルの上面よりも高い配置高さに位置する横向き支点周りで前後揺動可能に枢支し、
前記操作ボックスの内部で前記操作レバーに前記操作ワイヤを連係してあることを特徴とする。
【０００７】
上記構成によると、通常の刈取り走行時には分草杆を分草作用姿勢に張り出し揺動させ、非作業時には分草杆を邪魔にならない格納姿勢に揺動しておくことになるが、分草杆の姿勢切換えは運転座席の後方で刈取り部側の箇所に配備された操作レバーの前後揺動によるので、運転座席の横一側に配備されたレバー類の操作に分草杆出退用の操作レバーが邪魔になることはなく、また、操作レバーを操作する際に運転座席横側のレバー類が邪魔になることはない。
【０００８】
従って、第１の発明によると、誤って他のレバー類に触れて動かしてしまうようなことなく、分草杆の出退操作を軽快に行うことができるようになった。
【０００９】
第２の発明は、上記第１の発明において、
前記操作レバーを後方に起立揺動させて前記操作レバーの先端側が前記操作ボックスの上面から上方に突出する起立姿勢に切換えることで前記分草杆が分草作用姿勢となり、前記操作レバーを前方に倒伏揺動させて前記操作レバーの先端側が前記操作ボックスの前面から前方に突出する倒伏姿勢に切換えることで前記分草杆が格納姿勢となるよう構成してあるものである。
【００１０】
上記構成によると、分草杆を分草作用姿勢にする刈取り走行時には操作レバーが運転座席から最も後方に離れ、また、分草杆を格納姿勢にする非作業走行時には操作レバーが前方に倒伏して低く位置し、他のレバー類の操作の邪魔にならない姿勢となる。
【００１１】
分草杆は、張出した分草作用姿勢から自重に打ち勝って格納姿勢に切換える際の操作力が、格納姿勢から分草作用姿勢に切換える際の操作力よりも大きくなるが、分草杆を格納姿勢に切換える際に、操作レバーに体重を掛けて前方に倒伏操作しやすくなるので、レバー倒伏操作を軽快に行うことができる。
【００１２】
第３の発明は、上記第２の発明において、
前記操作ボックスにおける前記操作レバーの前記運転座席側の横側に、穀粒回収タンクに装備したアンローダの駆動を司る排出クラッチレバーを前後揺動操作可能に並設し、前記排出クラッチレバーを後方に起立揺動させて前記排出クラッチレバーの先端側が前記操作ボックスの上面から上方に突出する起立姿勢に切換えることで前記アンローダの駆動が停止され、前記排出クラッチレバーを前方に倒伏揺動させて前記排出クラッチレバーの先端側が前記操作ボックスの前面から前方に突出する倒伏姿勢に切換えることで前記アンローダが駆動されるよう構成してあるものである。
【００１３】
上記構成によると、刈取り走行作業時には、操作レバーおよび排出クラッチレバーは共に運転座席の後方横側方に離れた位置で起立姿勢にあり、運転座席横側の各種レバー操作の邪魔になることがない。
【００１４】
第４の発明は、上記第３の発明において、
起立姿勢の前記操作レバーが起立姿勢の前記排出クラッチレバーよりも前方に位置し、倒伏姿勢の前記操作レバーが倒伏姿勢の前記排出クラッチレバーよりも下方に位置するように、前記操作レバーおよび前記排出クラッチレバーを配備してあるものである。
【００１５】
第５の発明は、上記第１〜４のいずれか一つの発明において、
前記操作レバーを伸縮可能に構成してあるものである。
上記構成によると、非使用時には邪魔にならない長さに短縮しておき、分草杆出退時には長く伸ばして軽快に操作することができる。
【００１６】
【００１７】
【００１８】
【００１９】
第６の発明は、上記第１〜５のいずれか一つの発明において、
前記操作レバーを、前記操作ボックスの内部で前記横向き支点周りに枢支されるとともに前記操作ワイヤが連結される基端部材と、この基端部材に取り付けられて前記操作ボックスの外部に延出されるレバー本体とで構成し、前記操作レバーの起立姿勢では前記レバー本体が前記横向き支点よりも後方に位置し、かつ、前記操作レバーの倒伏姿勢では前記レバー本体が前記横向き支点よりも上方に位置するように、前記基端部材に前記レバー本体を取り付けてあるものである。
【００２０】
【００２１】
【発明を実施するための最良の形態】
【００２２】
図１および図２に、自脱型のコンバインが示されている。このコンバインは、左右一対のクローラ走行装置１を備えた走行機体２の前部に２条刈り仕様の刈取り部３が昇降および横移動自在に連結されるとともに、走行機体２に運転部４、脱穀装置５、および、アンローダ３０付きの穀粒回収タンク６、等が搭載された構造となっている。
【００２３】
刈取り部３には、植立穀稈を所定の刈取り姿勢に引起す左右一対の引起し装置７、引起した植立穀稈を切断するバリカン型の刈取り装置８、刈取り穀稈を後方に掻き込む左右一対の補助搬送ベルト９、刈取り穀稈の株元を掻き込み合流する左右一対の回転パッカ１０、刈取り穀稈を後方上方に向けて搬送する供給搬送装置１１、等を備えて構成されており、刈取り部３全体が後部基端の横向き支点Ｐを中心に上下揺動自在に支持されるとともに、油圧シリンダ１２で昇降駆動されるようになっている。
【００２４】
前記供給搬送装置１１は、株元挟持搬送機構１３と穂先係止搬送機構１４とから構成されており、供給搬送装置１１全体を前記横向き支点Ｐを中心に上下揺動調節することで、刈取り穀稈に対する挟持位置を上下に変更して、脱穀装置４の横外側に備えられたフィードチェーン１５への穀稈受渡し位置を稈長方向に変更調節する扱き深さ調節機能が備えられている。なお、供給搬送装置１１は刈取り穀稈の稈長検出に基づいて図示されない電動式の駆動機構によって上下揺動駆動され、稈長にかかわらず脱穀装置５に挿入される穀稈長さを一定に維持する自動扱深さ制御が行われるようになっている。
【００２５】
刈取り部３には、引起し装置７、刈取り装置８、補助搬送ベルト９、回転パッカ１０、等を支持する角パイプ材からなる刈取り部フレーム１７が前下がり傾斜姿勢で備えられており、この刈取り部フレーム１７の後端基部が、走行機体２の前端部に配備された基台１８の上部に前記横向き支点Ｐを中心として上下揺動可能に連結支持されている。前記油圧シリンダ１２は単動型シリンダが使用されており、その伸長作動によって刈取り部３が駆動上昇され、自由短縮作動によって刈取り部３が自重下降されるようになっている。
【００２６】
刈取り部３の左外側部には、刈取り走行時に未刈り植立作物が機体側に倒れ込んで刈取り部３の各部に引っ掛かったり、クローラ走行装置１で踏みつけられるのを回避するための分草杆７５が起伏揺動自在に装備されており、後述するように、運転部４からのレバー操作によって任意に出退操作されるようになっている。
【００２７】
図６，７に示すように、前記刈取り部フレーム１７の基部には前記横向き支点Ｐと同心の筒状に構成された横向き基端ボス部１７ａが備えられており、この横向き基端ボス部１７ａに左右に貫通されたカウンター軸１９が、前記基台１８の上部に配備された左右一対の軸受けブラケット２１，２２を介して回転自在に支架されている。なお、以後の説明における左右方向の呼称は機体に対する方向を示しており、図６，７の正面図では図上での左右方向と説明の呼称とが逆になる。
【００２８】
前記カウンター軸１９の右端には入力プーリ２３が取り付けられており、走行用のミッションケース２４に備えられたＰＴＯ軸（図示せず）とカウンター軸１９とがベルトテンション式の刈取りクラッチ（図示せず）を介してベルト連動されている。また、前記基端ボス部１７ａからは前方上方に向けて丸パイプ材からなる伝動ケース２５が延出され、この伝動ケース２５に挿通した伝動軸２６とカウンター軸１９とが基端ボス部１７ａ内でベベルギヤ連動され、カウンター軸１９から伝動軸２６に伝達された動力で引起し装置７、刈取り装置８、補助搬送ベルト９、回転パッカ１０が駆動されるようになっている。
【００２９】
図５に示すように、左側の軸受けブラケット２１から左外方に貫通突出されたカウンター軸１９には、カウンター軸軸心周り、つまり、横向き支点Ｐ周りに回動可能にベベルギヤケース２７が装備されるとともに、カウンター軸１９にベベルギヤ連動された伝動軸２８がベベルギヤケース２７から斜め上方に延出され、この伝動軸２８から取り出された動力で前記供給搬送装置１１の株元挟持搬送機構１３および穂先係止搬送機構１４が駆動されるようになっている。
【００３０】
なお、カウンター軸１９に刈取り部駆動用動力を伝達する図示されない前記ＰＴＯ軸は前進走行速度と同調した速度で駆動されるものであり、これによって、刈取り部３の各機構が走行速度と同調した速度で駆動されるようになっている。
【００３１】
上記のように構成された刈取り部３は横移動および旋回開放可能に支持されており、以下にそれらの構造を図６〜図１１に基づいて詳細に説明する。
【００３２】
前記基台１８の左側箇所には縦向き支点Ｘを中心に旋回可能な旋回ブラケット３１が配備されるとともに、旋回ブラケット３１から右方向（機体内方）に向けて旋回アーム３２が延出されている。この旋回アーム３２における上面の旋回基端側と遊端側に前記軸受けブラケット２１，２２がそれぞれ連結固定されるとともに、旋回アーム３２自体の右側箇所が機体フレーム１６に立設した基台１８の上面に前後一対のボルト３３によって連結されている。
【００３３】
前記旋回アーム３２には刈取り部横移動機構３４が装着されている。この刈取り部横移動機構３４には、旋回アーム３２に横向き支点Ｑ周りに揺動可能に支持された矩形ループ状の揺動支持枠３５、この揺動支持枠３５の左右アーム間に亘って横架支承されたネジ軸３６、ネジ軸３６に螺合装着された可動片３７、揺動支持枠３５に装備されたネジ軸駆動用の電動モータ３８、等が備えられており、前記揺動支持枠３５の下端横杆部３５ａに備えた連結片３５ｂと前記油圧シリンダ１２のピストンロッド１２ａとが挿抜可能な連結ピン３９で連結されている。なお、図１７に示すように、連結ピン３９には連結板３９ａと取っ手３９ｂが備えられており、通常は連結板３９ａをボルト４０によって連結片３５ｂに締付け固定することでピストンロッド１２ａとの連結状態が維持され、ボルト４０を外して連結ピン３９を抜き取ることで刈取り部横移動機構３４とピストンロッド１２ａとの連結が解除されるようになっている。
【００３４】
刈取り部フレーム１７の横向き基端ボス部１７ａは左右の軸受けブラケット２１，２２の間においてカウンター軸１９に沿って左右にスライド移動可能に支持されるとともに、横向き支点Ｐ周りに自重下降揺動可能な刈取り部フレーム１７が前記揺動支持枠３５の下端横杆部３５ａに受け止め支持されており、油圧シリンダ１２によって揺動支持枠３５が横向き支点Ｑ周りに揺動されることで、この揺動支持枠３５に受け止め支持された刈取り部３が横向き支点Ｐ周りに上下揺動されるようになっている。揺動支持枠３５による刈取り部フレーム受止め箇所の上方において刈取り部フレーム１７が前記可動片３７に荷重を掛けることなく上方から係合されており、ネジ軸３６が電動モータ３８によって回転駆動されて可動片３７が左右にネジ送り移動されることによって刈取り部３全体が所定ストロークで横移動されるようになっている。なお、揺動支持枠３５には刈取り部フレーム１７の上面近接位置を横切る規制ロッド４１が横架固定されており、刈取り部フレーム１７が揺動支持枠３５の下端横杆部３５ａから浮き上がって可動片３７から外れることが阻止されている。
【００３５】
横移動可能な刈取り部３は、基本的には左右のストロークエンドのいずれか一方に移動されて使用されるものであり、通常の刈取り形態である回り刈り作業時には、刈取り部３を左側ストロークエンド（図７参照）までスライド移動させて、刈取り部３の左端を左側クローラ走行装置１の踏み代より左側に張り出した状態とする。また、圃場の中央を突っ切って刈取り収穫する中割り作業時には、刈取り部３を右側ストロークエンド（図６参照）にスライド移動させて機体横幅内に位置させる。また、圃場外での移動走行、トラック荷台へ搭載しての移動、あるいは、ガレージへの格納、等の非作業時にも刈取り部３を右側ストロークエンドにスライド移動させる。
【００３６】
なお、図５に示すように、刈取り部３に装備された供給搬送装置１１の前端部は、横向き支点Ｐを中心とする円弧状に形成されて立設固定された案内杆４２に上下スライド可能に係合案内されて、供給搬送装置１１が上下揺動して扱き深さ調節作動できるように構成されるとともに、刈取り部３が横移動されると供給搬送装置１１が基端の伝動軸２８の軸心ｂ周りに相対的に横揺動されるようになっている。つまり、刈取り部３が横移動されると、案内杆４２に前端部を係合支持された供給搬送装置１１の前端部は常に引起し装置７の後方位置に在るよう追従移動するが、供給搬送装置１１の後端部はフィードチェーン１５の始端近傍位置に在り、これによって、刈取り部３の横移動位置にかかわらず引起し装置７から供給搬送装置１１の始端部への穀稈受け渡し、および、供給搬送装置１１の終端部からフィードチェーン１５の始端部への穀稈受け渡しがそれぞれ円滑に行われるようになっている。
【００３７】
このコンバインにおいては、通常の刈取り収穫作業において刈取り部３の先端部が圃場に突入することを回避するために以下のような構造が備えられている。
【００３８】
つまり、図１２に示すように、刈取り部３が刈取り作業高さ域まで自重下降されると、前記刈取り部横移動機構３４における揺動支持枠３５の下端横杆部３５ａが、走行機体２の前端部に装着された弾性付勢機構５０に弾性的に接当支持されるようになっている。
【００３９】
この弾性付勢機構５０は、図１４に示すように、間隔変更可能に対向された前後一対のバネ受け部材５１，５２、両バネ受け部材５１，５２の間に初期圧縮されて挟持されたコイルバネ５３、および、両バネ受け部材５１，５２の間隔拡大を阻止するよう両バネ受け部材５１，５２の中心に挿通装着された支持ロッド５４とで独立した一つのユニット状に構成されている。前記支持ロッド５４はボルト材で構成されており、この支持ロッド５４をねじ込み調節し、両バネ受け部５１，５２の最大間隔を調整することで、挟持されたコイルバ５３の初期圧縮状態を調節することが可能となっている。各バネ受け部材５１，５２はコイルバネ５３を位置決め嵌合するカップ状にプレス形成されるとともに、それぞれの外周部の対角位置には一対の支持突起５１ａ，５２ａが屈曲延出され、各支持突起５１ａ，５２ａに取付け孔５５，５６が形成されている。
【００４０】
他方、走行機体２における機体フレーム１６の前部には、前記弾性付勢機構５０を装着するための２本の支持ロッド５７がブラケット５８を介して前向き片持ち状に固設されている。この支持ロッド５７は前記取付け孔５５，５６のピッチに対応した間隔をもって配備されており、ユニット状の弾性付勢機構５０を、前後の支持突起５１ａ，５２ａにおける取付け孔５５，５６を介して支持ロッド５７に前方から挿嵌することで、弾性バランス機構５０が走行機体２の前部にやゝ前上りの前向き片持ち状に支持されるようになっている。
【００４１】
前方のバネ受け部材５１の前面が、刈取り部３に備えられた前記揺動支持枠３５の下端横杆部３５ａを接当支持する受止め部ｓとして機能するようになっている。
【００４２】
弾性付勢機構５０の初期圧縮荷重は刈取り部３の重量より幾分小さい値となるように上記支持ロッド５４の操作によって調整されており、刈取り部３を接当支持して圧縮変形した弾性付勢機構５０の弾性復元力で刈取り部３の重量が相殺されることで、刈取り部３の前方下部に配備した橇状の接地体５９が比較的小さい接地圧で接地するように設定される。
【００４３】
このように、刈取り部３を自重下降させて軽く接地支持させて刈取り走行を行うことで、圃場の一部が隆起していたり、走行機体２が前下がり傾斜しても、刈取り部３が相対的に押上げ上昇されて圃場へ突入することが回避されるのである。なお、前記弾性付勢機構５０におけるコイルバネ５３の周囲にはゴム製の泥除けカバー６１が巻き付け装着されて、弾性付勢機構５０への泥などの異物の付着および侵入が防止されている。
【００４４】
図１４に示すように、弾性付勢機構５０とブラケット５８との間に任意の厚さのシム板６０を介在することで弾性付勢機構５０における受止め部ｓの位置を前後に変更調節することができる。この調節によって刈取り部３が接地した状態でのコイルバネ５３の圧縮変形量を変更して接地体５９の接地圧を設定調節することができる。なお、図１４に示すように、シム板６０は両支持ロッド５７に係止されてその取付け姿勢が保持されている。
【００４５】
上記のように構成された刈取り部３は、点検整備のために左横外側方に旋回揺動することが可能となっている。つまり、旋回アーム３２の遊端側を基台１８に連結しているボルト３３を外すと、図１０に示すように、旋回アーム３２と旋回ブラケット３１とが一体に縦向き支点Ｘ周りに旋回可能となり、この旋回アーム３２に支持されている刈取り部３が刈取り部横移動機構３４と共に旋回可能となる。
【００４６】
図６，７に示すように、旋回ブラケット３１には操作ロッド６５が横スライド可能に挿通支持され、この操作ロッド６５の右側貫通端部に下降ロック用のブロック部材６６が連結されている。操作ロッド６５の左側端部は延出されて操作ノブ６７が取り付けられており、機体横外方から操作ロッド６５を押し引き操作できるようになっている。図５に示すように、通常は操作ロッド６５が機体外方に引き出し操作されて、ブロック部材６６は旋回ブラケット３１の上面端部より左側に寄ったロック解除位置urに載置保持されている。
【００４７】
刈取り部３を図４（イ）に示す通常位置から、図４（ロ）に示すように、機体の左横外側方に旋回開放するには、先ず、刈取り部３を所定高さ以上に上昇させた状態で左側ストロークエンドまで横移動させる。次に、図７に示すように、操作ロッド６５を機体内方に移動限界まで押し込み操作してブロック部材６６を前記ロック解除位置urから旋回ブラケット３１の右端近くの下降ロック位置rに移動させる。次に、刈取り部３を下降させて、刈取り部フレーム１７の基部に連結固定した接当金具６８と旋回ブラケット３１の上面との間に下降ロック位置rのブロック部材６６を挟持して、それ以上に刈取り部３が下降されるのを阻止する（図１６参照）。このようにブロック部材６６を介して下降ロックがなされた状態では、刈取り部３は弾性付勢機構５０から分離し、かつ、地上から浮き上がった高さで保持されることになる。
【００４８】
走行機体２の前端に設けられた基台１８の右側には、左側ストロークエンドまで横移動された刈取り部３が右方向に横移動するのを阻止する横移動ロック機構７０が装備されている。この横移動ロック機構７０には横移動ロック位置（ａ)とロック解除位置（ｂ）に切換え可能なロック部材７１が装備されている。ロック部材７１は、図１８に示すように、板材をＶ形に屈折して構成されたものであり、前後方向の長孔７２と前後に配備されたガイドピン７４および締付けボルト７３を介して前後方向にのみ位置調節可能に基台１８に締付け固定されている。
【００４９】
通常、ロック部材７１は、刈取り部フレーム１７における基端ボス部１７ａの横移動領域から後方に外れたロック解除位置（ｂ）に保持されており、この状態では刈取り部３の横移動が可能となる。ロック部材７１が後方のロック解除位置（ｂ）にあると、旋回アーム３２と基台１８とのボルト連結部の上方にロック部材７１が重複し、前側のボルト３３に上方からボックスレンチなどの工具を掛けることができなくなる。また、刈取り部３が右ストロークエンドにあると、ロック部材７１の前方に基端ボス部１７ａが位置して、ロック部材７１を前方の横移動ロック位置（ａ)に切換えることができなくなる。
【００５０】
刈取り部３を旋回開放するには、先ず、刈取り部３を左側ストロークエンドまで横移動し、上記のように、ブロック部材６６を利用して刈取り部３を地上に浮かした状態にする。次に、運転部４からボックスレンチなどの工具を差し入れて横移動ロック機構７０の締付けボルト７３を弛め、ロック解除位置（ｂ）にあるロック部材７１を前方の横移動ロック位置（ａ)に移動してボルト固定する。横移動ロック位置（ａ)のロック部材７１は、刈取り部フレーム１７における基端ボス部１７ａの右側で横移動領域に干渉することになり、これによって刈取り部３が右方向に横移動することが接当阻止される。
【００５１】
次に、刈取り部フレーム１７と油圧シリンダ１２のピストンロッド１２ａとを連結していた連結ピン３９を引き抜いてその連結を解除する。ロック部材７１を前方の横移動ロック位置（ａ)に移動することで、旋回アーム３２の遊端側を基台１８に連結していた一対のボルト３３が共に露出され、ボックスレンチなどの工具を掛けることが可能となる。このボルト３３を外すことで旋回アーム３２が旋回可能となり、刈取り部３を地面から少し浮かした状態のまま縦向き支点Ｘ周りに揺動開放することができる。なお、図示されていないが、旋回アーム３２は旋回開放位置で基台１８にピンロックされる。
【００５２】
刈取り部３の旋回開放操作に先立って、刈取り部３の左外側部に配備された分草杆７５を取外しておく必要がある。図２０，２１に示すように、前記分草杆７５の前端には後ろ向きの支点ピン７６が備えられて、左端分草具７７の背部に設けられた支持金具７８に前方から差し込み支持されている。刈取り部３の左側に立設された引起し装置駆動用のパイプフレーム７４に、前記支点ピン７６を通る後上り傾斜した前後方向軸心ｄ周りに回動可能に基端回動アーム７９が配備され、分草杆７５の前後中間に一体装備された中間支持アーム７５ａが前記基端回動アーム７９に連結ピン８０を介して脱着自在に連結されている。そして、これら支点ピン７６および連結ピン８０に装着された抜け止めピン８１を抜き取ることで、分草杆７５全体を前方に抜き外すことができるようになっている。
【００５３】
分草杆７５を横外方に張出し倒伏した分草作用姿勢と、起立した格納姿勢とに切換え揺動する操作構造を説明する。
【００５４】
図１に示すように、運転部４に備えられた運転座席８２の前方には前後左右に揺動操作可能な操縦レバー８３を備えたフロントパネル８４が立設配備されるとともに、運転座席８２の左横側には主変速レバー８５、副変速レバー８６、図示されない刈取りクラッチおよび脱穀クラッチを操作するクラッチレバー８７、等を備えたサイドパネル８８が配備されている。サイドパネル８８の後端部には操作ボックス８９が立設されており、この操作ボックス８９に、前記分草杆７５を出退操作する操作レバー９０、前記アンローダ３０の駆動停止を司る排出クラッチレバー９１、および、アンローダ３０の姿勢変更用の短いジョイスティックレバー９２が並列して装備されている。
【００５５】
図２２，図２３に示すように、前記操作ボックス８９の内部に設けられた支点ブラケット９３に支軸９４が横向きに固設され、この支軸９４に、前記操作レバー９０の基端部材９５が横向き支点ｅ周りに回動自在、かつ、摩擦板９６および皿バネ９７を介して任意の回動操作位置で摩擦保持可能に枢支されている。操作レバー９０は、そのレバー本体９０Ａが基端部材９５に対してレバー長手方向に沿って形成された長孔９８と一対の連結ピン９９を介して伸縮自在に支持されて構成されている。基端部材９５には２本の操作ワイヤ１００，１０１のインナ端が連結されており、操作レバー９０の前後揺動に伴う基端部材９５の正逆回動によって各操作ワイヤ１００，１０１が背反的に弛緩および引張り操作されるようになっている。
【００５６】
前記両操作ワイヤ１００，１０１の他方のインナ端が、分草杆７５における前記基端回動アーム７９と一体化された一対の操作アーム７９ａ，７９ｂにそれぞれ連結されており、各操作ワイヤ１００，１０１が背反的に弛緩および引張り操作されることで、分草杆７５が出退揺動されるようになっている。なお、前記操作ワイヤ１００，１０１は余裕をもった長さのものが縦向き支点Ｘ近くを通って配索されており、刈取り部３の横移動および旋回揺動が許容されるようになっている。
【００５７】
ここで、操作レバー９０が後方に揺動されて略鉛直の起立姿勢にあると、分草杆７５が分草作用姿勢に張出し揺動され、操作レバー９０が前方に揺動されて略水平の倒伏姿勢にあると、分草杆７５が格納姿勢に振り上げ揺動されるように設定されている。
【００５８】
前記アンローダ３０は、穀粒回収タンク６における底スクリュー４５の後端に連動連結された縦送りスクリューコンベア部３０Ａと、その上端に連動連結された横送りスクリューコンベア部３０Ｂとで構成されており、縦送りスクリューコンベア部３０Ａが電動モータ１０５によってスクリュー軸心と同芯の縦軸心Ｙ周りに所定範囲内で正逆に旋回駆動されるとともに、横送りスクリューコンベア部３０Ｂが電動シリンダ１０６によって起伏揺動駆動されるようになっており、前記ジョイスティックレバー９２の前方操作で横送りスクリューコンベア部３０Ａが下降揺動され、ジョイスティックレバー９２の後方操作で横送りスクリューコンベア部３０Ｂが上昇揺動され、ジョイスティックレバー９２の左方操作で横送りスクリューコンベア部３０Ｂが左方向に旋回され、また、ジョイスティックレバー９２の右方操作で横送りスクリューコンベア部３０Ｂが右方向に旋回されるようになっている。
【００５９】
図２５に示すように、前記底スクリュー４５の前端部が、運転部４における座席下方に配備されたエンジン４６にベルト連動されており、そのベルト伝動系に介在したテンション式の排出クラッチ１０７が前記排出クラッチレバー９１にワイヤ連係手段を介して連動連結されており、排出クラッチレバー９１が後方に揺動されて略鉛直の起立姿勢にあると排出クラッチ１０７が「切り」となり、排出クラッチレバー９１が前方に揺動されて略水平の倒伏姿勢にあると、排出クラッチ１０７が「入り」となって、穀粒回収タンク６に貯留された穀粒が排出されるようになっている。従って、刈取り走行作業時には、操作レバー９０および排出クラッチレバー９１は共に運転座席８２の後方横側方に離れた位置で起立姿勢にあり、サイドパネル８８の各種レバー操作の邪魔になることがない。
【００６０】
穀粒回収タンク６が満杯になると、刈取り作業を中断休止して畦際に移動し、待機しているトラックの荷台などに回収した穀粒を排出する。この場合、排出作業位置への移動に際しては操作レバー９０を前方に操作して分草杆７５を格納し、分草杆７５が畦などにぶつからないように走行する。所定の排出作業位置に至ると、ジョイスイティックレバー９２を操作してアンローダ３０の姿勢を変更して、横送りスクリューコンベア部３０Ｂの先端排出部をトラック荷台上の所望位置へ移動し、次いで、排出クラッチレバー９１を前方に操作して排出クラッチ１０７を入れる。ここで、操作レバー９０は分草杆格納のために前方に倒伏操作されているので、クラッチ切り位置にある排出クラッチレバー９１の横に大きく起立しているレバーはなく、握り間違いなく排出クラッチレバー９１を操作することができる。
【００６１】
穀粒の排出が完了すると、排出クラッチレバー９１を後方に操作して排出クラッチ１０７を再び切り、アンローダ３０の姿勢変更操作を行って横送りスクリューコンベア部３０Ｂを元の格納位置に戻し、その後、走行機体２を先の刈取り中断作業位置まで移動させる。刈取りの再開に先立って操作レバー９０を後方に起立操作して分草杆７５を分草作用姿勢に切換える。
【００６２】
〔他の実施例〕
【００６３】
（１）刈取り部３を横移動のみ可能に構成して実施することもできる。
【００６４】
（２）３条刈り以上の刈幅の刈取り部３を備えた機種では、刈取り部３を旋回開放のみ可能に構成して実施すればよい。
【図面の簡単な説明】
【００６５】
【図１】自脱型コンバインの前部を示す左側面図
【図２】自脱型コンバインの全体平面図
【図３】自脱型コンバインの全体を示す右側面図
【図４】刈取り部の旋回開放作動を示す平面図
【図５】刈取り部の基部を示す側面図
【図６】旋回操作不能位置に横移動された刈取り部の基部を示す正面図
【図７】旋回操作可能位置に横移動された刈取り部の基部を示す正面図
【図８】旋回操作不能位置に横移動された刈取り部の基部を示す平面図
【図９】旋回操作可能位置に横移動された刈取り部の基部を示す平面図
【図１０】旋回途中における刈取り部の基部を示す平面図
【図１１】刈取り部の横移動構造を示す側面図
【図１２】刈取り部の横移動構造および弾性付勢機構を示す側面図
【図１３】弾性付勢機構の正面図
【図１４】弾性付勢機構の横断平面図
【図１５】弾性付勢機構の支持構造を示す正面図
【図１６】下降ロック状態における刈取り部の基部を示す側面図
【図１７】油圧シリンダ連結部の縦断正面図
【図１８】横移動ロック機構のロック部材を示す斜視図
【図１９】分草構造を示す正面図
【図２０】分草杆の前部支持構造を示す側面図
【図２１】分草杆の支持構造を示す一部切欠き平面図
【図２２】分草杆操作構造の連係図
【図２３】操作レバーの支持構造を示す縦断正面図
【図２４】レバー操作部の斜視図
【図２５】アンローダの排出クラッチ操作系の連係図
【符号の説明】
【００６６】
３                刈取り部
４                運転部
６ 穀粒回収タンク
３０              アンローダ
７５              分草杆
８２              運転座席
８８ サイドパネル
８９ 操作ボックス
９０              操作レバー
９０Ａ レバー本体
９１              排出クラッチレバー
９５ 基端部材
１００ 操作ワイヤ
１０１ 操作ワイヤ
ｅ 横向き支点
【図１】
0004824988.tif 000002
【図２】
0004824988.tif 000003
【図３】
0004824988.tif 000004
【図４】
0004824988.tif 000005
【図５】
0004824988.tif 000006
【図６】
0004824988.tif 000007
【図７】
0004824988.tif 000008
【図８】
0004824988.tif 000009
【図９】
0004824988.tif 000010
【図１０】
0004824988.tif 000011
【図１１】
0004824988.tif 000012
【図１２】
0004824988.tif 000013
【図１３】
0004824988.tif 000014
【図１４】
0004824988.tif 000015
【図１５】
0004824988.tif 000016
【図１６】
0004824988.tif 000017
【図１７】
0004824988.tif 000018
【図１８】
0004824988.tif 000019
【図１９】
0004824988.tif 000020
【図２０】
0004824988.tif 000021
【図２１】
0004824988.tif 000022
【図２２】
0004824988.tif 000023
【図２３】
0004824988.tif 000024
【図２４】
0004824988.tif 000025
【図２５】
0004824988.tif 000026